(57)【特許請求の範囲】
【請求項１】
飲料の提供サービスに供されるドリンクサービスカートであって、
箱状をなしキャスターを備えたカート本体と、該カート本体内に配設されバッテリーを備えた給電部と、該カート本体内に配設され熱湯を貯溜するタンク部と、該カート本体に配設され熱風を供給，吹き出し可能な熱風供給部と、
該カート本体の上部に配設され、該タンク部からポンプを介して供給された熱湯を注出可能なノズルを備えた注出部と、飲料素材を封入してなり上部に注入受部を下部に開放可能部を備えた封入パックと、を有してなり、
該封入パックは、該注出部下にセットされ、該ノズルにて該注入受部が開孔されると共に熱湯が注入可能であり、かつ、該熱風供給部から吹き出された熱風にて、該開放可能部が剥離開放可能となっていること、を特徴とするドリンクサービスカート。
【請求項２】
請求項１に記載したドリンクサービスカートであって、該ドリンクサービスカートは、新幹線，その他の鉄道，航空機，船舶，その他の輸送手段内において使用されること、を特徴とするドリンクサービスカート。
【請求項３】
請求項１に記載したドリンクサービスカートにおいて、該封入パック内に封入される該飲料素材は、
コーヒー，ココア，紅茶，鳥龍茶，日本茶，ハーブ茶，その他の各種飲料，更にコーヒーについてはモカ，キリマンジェロ，ブルーマウンテン，アメリカン，その他，これらのブレンド，更に紅茶についてはダージリン，アッサム，セイロン，その他，これらのブレンド等々について、それぞれの原料を細片化すると共に飲料用に加工したものよりなり、
該封入パックは、これら各種の該飲料素材の中から適宜複数種類を選択すると共に、それぞれを個別に封入したものが予め多数準備され、ココア用以外は内部に濾過部を備えていること、を特徴とするドリンクサービスカート。
【請求項４】
請求項１に記載したドリンクサービスカートにおいて、該注出部下にセットされた該封入パック下に、更にコップがセット可能となっており、
該コップには、剥離開放された該開放可能部を介し、該封入パックから飲料が流下可能となっていること、を特徴とするドリンクサービスカート。
【請求項５】
請求項４に記載したドリンクサービスカートにおいて、該カート本体には氷供給部が付設されており、
該氷供給部は、該コップに対し細断された氷を流下可能となっていること、を特徴とするドリンクサービスカート。
【発明の詳細な説明】
【０００１】
【発明の属する技術分野】
本発明は、ドリンクサービスカートに関する。すなわち、例えば新幹線，その他の鉄道，航空機，船舶，その他の輸送手段内において、飲料の提供サービスに供される、ドリンクサービスカートに関するものである。
【０００２】
【従来の技術】
このような輸送手段において、例えばコーヒーの提供サービスは、従来次のように行われていた。
すなわち、まず駅等の厨房やビュッフェ付車輌の厨房等で、コーヒーをドリップした後、抽出されたコーヒーをポットに移し、それからワゴン等にて座席の乗客間を巡回し、注文に応じポットから紙コップ等に移して、乗客へと提供されていた。
【０００３】
【発明が解決しようとする課題】
ところで、このような従来例にあっては、次の問題が指摘されていた。上述したように、コーヒーは事前に予めドリップされており、いわば作り置きされていた。そこで、乗客等のユーザーに提供される際には、挽きたての味と香りが抜け落ちてしまっていることが多く、品質面に問題が指摘されていた。
周知のとおり、コーヒーはドリップ直後から酸化が進行し始め、抽出後１５分も経過すると鮮度が失われ、香りが損なわれると共に味わいが低下してしまう。そこで従来より、乗客等のユーザーに対し、鮮度に富み香り高く味わい深いコーヒーを提供したい、という要望があった。
なお以上は、コーヒーを例に取って説明したが、ココア、紅茶，その他の飲料についてもほぼ同様の事情下にあり、香り高く味わい深い新鮮な飲料の提供サービスが、強く望まれていた。
【０００４】
本発明は、このような実情に鑑み、上記従来例の課題を解決すべくなされたものであって、給電部，熱湯のタンク部，熱風供給部，熱湯の注出部，飲料素材の封入パック等を、カート本体に備えつけてなり、更に適宜、コップ，氷供給部等を備えつけてなることにより、第１に、飲料を香り高く味わい深く提供できると共に、第２に、各種の飲料を好みに応じて提供でき、第３に、しかも簡単，容易，迅速に提供可能な、ドリンクサービスカートを提案することを目的とする。
【０００５】
【課題を解決するための手段】
このような課題を解決する本発明の技術的手段は、次のとおりである。まず、請求項１については次のとおり。すなわち、この請求項１のドリンクサービスカートは、飲料の提供サービスに供される。
そして、箱状をなしキャスターを備えたカート本体と、該カート本体内に配設されバッテリーを備えた給電部と、該カート本体内に配設され熱湯を貯溜するタンク部と、該カート本体に配設され熱風を供給，吹き出し可能な熱風供給部と、該カート本体の上部に配設され、該タンク部からポンプを介して供給された熱湯を注出可能なノズルを備えた注出部と、飲料素材を封入してなり上部に注入受部を下部に開放可能部を備えた封入パックと、を有してなる。
そして該封入パックは、該注出部下にセットされ、該ノズルにて該注入受部が開孔されると共に熱湯が注入可能であり、かつ、該熱風供給部から吹き出された熱風にて、該開放可能部が剥離開放可能となっていること、を特徴とする。
【０００６】
次に、請求項２については次のとおり。すなわち、この請求項２のドリンクサービスカートは、請求項１に記載したドリンクサービスカートであって、該ドリンクサービスカートは、新幹線，その他の鉄道，航空機，船舶，その他の輸送手段内において使用されること、を特徴とする。
請求項３については次のとおり。すなわち、この請求項３のドリンクサービスカートは、請求項１に記載したドリンクサービスカートにおいて、該封入パック内に封入される該飲料素材は、コーヒー，ココア，紅茶，鳥龍茶，日本茶，ハーブ茶，その他の飲料，更にコーヒーについてはモカ，キリマンジェロ，ブルーマウンテン，アメリカン，その他，これらのブレンド，更に紅茶についてはダージリン，アッサム，セイロン，その他，これらのブレンド等々について、それぞれの原料を細片化すると共に飲料用に加工したものよりなる。
該封入パックは、これら各種の該飲料素材の中から適宜複数種類を選択すると共に、それぞれを個別に封入したものが予め多数準備され、ココア用以外は内部に濾過部を備えていること、を特徴とする。
【０００７】
次に、請求項４については次のとおり。すなわち、この請求項４のドリンクサービスカートは、請求項１に記載したドリンクサービスカートにおいて、該注出部下にセットされた該封入パック下に、更にコップがセット可能となっている。そして該コップには、剥離開放された該開放可能部を介し、該封入パックから飲料が流下可能となっていること、を特徴とする。
請求項５については次のとおり。すなわち、この請求項５のドリンクサービスカートは、請求項４に記載したドリンクサービスカートにおいて、該カート本体には氷供給部が付設されている。
そして該氷供給部は、該コップに対し細断された氷を流下可能となっていること、を特徴とする。
【０００８】
本発明は、このようになっているので、次のようになる。このドリンクサービスカートは、給電部のバッテリーが充電され、タンク部に熱湯が貯溜されており、キャスターを利用して乗客等のユーザーのもとへと移動される。
そして、飲料等の提供サービスに際しては、まず、異なる種類の飲料素材の封入パックから、好みのものが選択されて、注出部下にセットされる。又、この封入パック下にコップがセットされ、必要に応じ、氷供給部から細断された氷がコップ内に流下される。
それから、封入パックの上部の注入受部が、注出部側のノズルにて開孔され、タンク部からポンプを介して供給された熱湯が、ノズルや開孔された注入受部を介し、封入パック内に順次注入される。これと共に、封入パックの下部の開放可能部が、熱風供給部から吹き出された熱風等により、剥離開放される。
そこで、封入パック内に封入されていた飲料素材に熱湯が混入され、ココアの場合を除き濾過部を通過してドリップされた後、開放された開放可能部からコップ内へと流下する。このようにして所望の飲料が得られ、即その場で乗客等のユーザーに提供される。
【０００９】
【発明の実施の形態】
以下本発明を、図面に基づいて詳細に説明する。図１，図２，図３等は、本発明の実施の形態の説明に供する。
そして図１は、そのドリンクサービスカートの側面説明図、図２は、斜視説明図である。図３は、封入パック等の正面説明図である。
【００１０】
このドリンクサービスカートは、飲料の提供サービスに供される。例えば、新幹線，その他の鉄道，航空機，船舶，その他の輸送手段内において、乗員が座席の乗客に対し、飲料の提供サービスを行う際に使用されるが、その他、各種の式場，会場，催場内や、オフィス，作業所等々において、不特定多数のユーザーを対象に、飲料の提供サービスを実施する際に使用される。
そして、このドリンクサービスカートは、次のカート本体１，給電部２，タンク部３，熱風供給部４，注出部５，氷供給部，封入パックＡ，コップＢ等を備えてなる。以下これらについて詳述する。
【００１１】
まずカート本体１は、箱状をなしキャスター６を備えてなる。すなわちカート本体１は、天板，床板，側板，前後板等が、一体化されたプレート構造よりなり、床板の四隅下にキャスター６が付設されており、手で押して移動されると共に、ブレーキが付設されている。カート本体１は、このようになっている。
次に給電部２は、カート本体１内に配設され、バッテリーを備えてなる。すなわち、電源装置たる給電部２は、カート本体１内の最下部に収納されており、バッテリーとその通電充電部とから構成されている。給電部２は、このようになっている。
【００１２】
又、タンク部３は、カート本体１内に配設され、熱湯Ｃを貯溜する。すなわちタンク部３は、カート本体１内の上下方向中央部に収納されており、グラスウール等を利用した断熱構造よりなり、図示例では１３リットル程度（約１００杯分程度）の熱湯Ｃを、余裕をもって貯溜可能な容量よりなる。
そして使用時に、予め熱湯Ｃが外部から給湯，貯溜されると共に、事後は、この貯溜された熱湯Ｃが例えば９０℃程度の所定温度を保持するように、給電部２にて駆動される１００Ｗ程度のバックアップヒーター（図示せず）が、サーモスタット付で付設されている。
なおタンク部３は、図示例の１槽式によらず２槽式その他の多槽式であってもよく、又、バックアップヒーターが付設されていないタイプでもよく、更に、冷水を給水して加熱ヒーターにて熱湯Ｃとする方式によることも考えられる。タンク部３は、このようになっている。
【００１３】
次に熱風供給部４は、カート本体１に配設され、熱風を供給，吹き出し可能となっている。
このような熱風供給部４について、更に詳述する。図示例の熱風供給部４は、タンク部３内に貯溜された熱湯Ｃを利用して、熱風を供給，吹き出す方式よりなり、外気を取り入れる吸入部７と、熱風を供給する供給部８とを備えてなり、これらは、パイプ，給電部２にて駆動されるファン，制御部等により構成されている。
そして、吸入部７にて取り入れた外気を、タンク部３内の上部空間へと導き、貯溜された熱湯Ｃの熱気を利用して熱風とした後、供給部８にて封入パックＡの開放可能部Ｄへと供給して、吹き出すようになっている。供給部８の先端部は、カート本体１の上部にセットされた封入パックＡの下部の開放可能部Ｄに対し、対応位置して開口し、供給された熱風を吹き出し可能となっている。
【００１４】
なお、このような熱風供給部４による熱風の供給，吹き出しは、制御部にて制御されており、封入パックＡのセットの検知や、注出部５のノズル９による熱湯Ｃの注出の検知や、操作ボタンの押下の検知等のいずれかの後、所定時間（分又は秒単位）経過後に、一度に強力に実施されるように設定されている。
又、熱風供給部４の構成は、このような図示例方式に限定されるものではなく、その他各種の公知方式を採用可能であり、例えば熱湯Ｃを利用せず給電部２にて駆動されるヒーター等を利用する方式も考えられる。熱風供給部４は、このようになっている。
【００１５】
次に注出部５は、カート本体１の上部に配設され、タンク部３からポンプ１０を介して供給された熱湯Ｃを注出可能なノズル９を備えてなる。
このような注出部５について、更に詳述する。まず、カート本体１内の中央部に収納されたタンク部３には、注出部５の供給管１１の基端が接続されており、この供給管１１は、途中に給電部２にて駆動されるポンプ１０を介した後、カート本体１の上部前面へと配設され、このような供給管１１の先端に、ノズル９が取り付けられている。もって熱湯Ｃが、タンク部３からポンプ１０にて供給管１１中を圧送されてノズル９に至り、ノズル９から注出可能となっている。
注出コックたるノズル９は、カート本体１の上部前面に下向きに配されており、直下にセットされる封入パックＡの注入受部１２に対し、密に接続可能な形状よりなると共に、常時は閉鎖されている注入受部１２を開孔可能な形状よりなる。そして熱湯Ｃを、開孔された注入受部１２を介し、封入パックＡ内に注出，注入可能となっている。
【００１６】
なお、このような注出部５による熱湯Ｃの注出，注入のオン，オフは、例えば、付設された制御部にて制御されており、封入パックＡのセットの検知や、操作ボタンの押下の検知等のいずれかに基づき、ポンプ１０が駆動されて、熱湯Ｃが供給管１１にてノズル９へと供給され、もって一杯分の熱湯Ｃが供給されると、ポンプ１０の駆動が停止されるようになっている。
又、ノズル９と封入パックＡの注入受部１２との接続や、ノズル９による封入パックＡの注入受部１２の開孔も、封入パックＡをセットする手動操作に伴い行われるように設定してもよいが、これによらず、封入パックＡのセットの検知や、操作ボタンの押下の検知等のいずれかに基づき、ノズル９が下降動作をして注入受部１２に接続され、注入受部１２を開孔するようにしてもよい。
なお後者の場合には、ノズル９は、供給管１１の先端に対し昇降可能に取り付けられると共に、給電部２にて駆動されるモータを利用して昇降動可能とされ、かつ事後、ノズル９が上昇動作，復帰動作すべく制御される。注出部５は、このようになっている。
【００１７】
次に封入パックＡは、飲料素材Ｅを封入してなると共に、上部に注入受部１２、下部に開放可能部Ｄを備えてなる。
そして、この封入パックＡは、注出部５下にセットされ、ノズル９にて注入受部１２が開孔されると共に熱湯Ｃが注入可能であり、かつ、熱風供給部４から吹き出された熱風等にて、開放可能部Ｄが剥離開放可能となっている。
【００１８】
このような封入パックＡについて、更に詳述する。まず、封入パックＡは、常時は密封された金属箔製の縦長肉薄状の中空袋体よりなる。もって、内部に封入された飲料素材Ｅをほぼ無酸素状態にて保持し、使用（例えばドリップによる抽出）直前まで、外部の酸素を遮断して飲料素材Ｅの鮮度を維持する。
封入パックＡは、使用に際しカート本体１の上部前面にセットされて、注出部５のノズル９下に位置し、ノズル９に注入受部１２が接続されると共に、注入受部１２が開放される。
なお、このような封入パックＡのセットは、カート本体１側の上部前面に付設されたセット保持部Ｈを利用して行われるが、このようなセット保持部Ｈを設けることなく、ノズル９に注入受部１２を接続して開孔せしめる手動操作により、封入パックＡ全体がセットされてしまう方式も採用可能である。なおセット保持部Ｈは、少なくとも側周壁と前面ドアとを備えてなる。
【００１９】
又、封入パックＡの注入受部１２は、例えば樹脂製よりなり、封入パックＡ本体の上部中央に一体設されてなる。この注入受部１２は、その下部が封入パックＡ本体内に挿着されると共に、その上部が封入パックＡ本体上に突出し、上端面が開放可能に閉鎖された略管状をなす。
そして、このような注入受部１２の上部上端面が、注出部５側のノズル９下端にて開孔可能であると共に、この略管状をなす注入受部１２内にノズル９が密挿入可能な、形状関係，寸法関係に設定されている。このようにして、注入受部１２とノズル９間が、接続可能となっている。
【００２０】
封入パックＡの開放可能部Ｄは、封入パックＡ本体の下部に形成されている。そして、この開放可能部Ｄは、例えば所定の接着構造よりなり、中空袋状をなす封入パックＡ本体の下部外周縁の密閉・閉鎖を、加熱により容易に溶融可能な接着剤にて行った構造よりなる。
すなわち、熱風供給部４にて熱風が吹き付けられることにより、更には封入パックＡ中に熱湯Ｃが注入されることにより、このような熱等にて容易かつ確実に、封入パックＡの下部外周縁の接着剤が溶融する構造よりなる。
開放可能部Ｄは、例えばこのような構造よりなり、熱風等にて溶融することにより剥離可能となっており、封入パックＡの密閉・閉鎖されていた下部を、開放可能としてなる。
【００２１】
又、このような封入パックＡ内に封入される飲料素材Ｅとしては、各種のものが考えられる。
すなわち、この飲料素材Ｅとしては、コーヒー，ココア，紅茶，鳥龍茶，日本茶，ハーブ茶，その他の各種飲料，更にコーヒーについてはモカ，キリマンジェロ，ブルーマウンテン，アメリカン，その他，これらのブレンド，更に紅茶についてはダージリン，アッサム，セイロン，その他，これらのブレンド等々について、それぞれの原料を細片化すると共に飲料用に加工したものよりなる。なお適宜必要に応じ、砂糖，レモン，ミルク，その他の添加材が、このような加工時に混入される。
例えば、コーヒーの場合には、原料たるコーヒー豆を粗挽き加工した粉状のものよりなり、紅茶の場合は、原料たる茶葉を醗酵加工したものよりなり、茶の場合は、原料たる茶葉を蒸して焙って加工したものよりなる。
封入パックＡは、これらの各種飲料素材Ｅの中から適宜複数種類を選択すると共に、それぞれを個別に封入したものが、予め多数準備される。
なお、ココア用以外は、内部に濾紙や濾布製の濾過部Ｆを備えてなり、濾過部Ｆ上に飲料素材Ｅが封入されている。封入パックＡは、このようになっている。
【００２２】
次に、注出部５下にセットされる封入パックＡ下には、更にコップＢがセット可能となっている。そして、このコップＢには、剥離開放された開放可能部Ｄを介し、封入パックＡから飲料が流下可能となっている。
すなわち、カート本体１の上下方向中央部の前面には、受け台１３が形成されており、この受け台１３上に、例えば紙コップよりなるコップＢが載置，セット可能となっている。
そして、このようにセットされたコップＢの上部開口上に、セットされた封入パックＡの開放可能部Ｄが、対向位置する関係に設定されている。コップＢは、このようになっている。
【００２３】
なお図２中、１４はコップストッカーであり、このコップストッカー１４に、未使用の多数のコップＢがストックされる。又、１５はパックストッカーであり、このパックストッカー１５に、未使用の各種の封入パックＡがストックされる。
１６はダストボックスであり、このダストボックス１６に、使用済の封入パックＡ等が回収される。１７はトレー、１８はタンク部３下に付設された排出管、１９は排出管１８に介装された排出弁である。２０は、砂糖，レモン，ミルク，その他用の添加材ストッカーである。
又、カート本体１には氷供給部（図示せず）が付設されており、この氷供給部は、セットされたコップＢに対し、細断された氷を流下可能となっている。
【００２４】
本発明は、以上説明したように構成されている。そこで以下のようになる。このドリンクサービスカートにあっては、予め、箱状をなすカート本体１内の給電部２のバッテリーが、電力を供給可能に充電されると共に、タンク部３に熱湯Ｃが貯溜されている。そして使用に際し、キャスター６を利用して、乗客等のユーザーのもとへと移動される。
もって、飲料の提供サービスに際しては、まず、例えばコーヒー，ココア，紅茶，その他の異なる種類の飲料素材Ｅが封入された封入パックＡの中から、乗客等のユーザーの好みのものが選択され、この選択された封入パックＡが、カート本体１上部の注出部５下にセットされる。
これと共に通常は、このセットされた封入パックＡ下に、コップＢがセットされ、適宜必要に応じ、氷供給部から細断された氷がコップＢ内に流下される。
【００２５】
それから、セットされた封入パックＡについて、その上部の注入受部１２が、注出部５側のノズル９にて開孔されると共に、ノズル９に接続される。
そして、タンク部３からポンプ１０を介して供給された熱湯Ｃがまず少量、ノズル９や開孔された注入受部１２を介し、封入パックＡ内に注入され、内部に封入されていた飲料素材Ｅに混入されて、これをふやけさせる等、軟化熱処理する。
しかる後、ほぼ一杯分に相当する熱湯Ｃが、ノズルや開放された注入受部１２を介し、封入パックＡ内に順次注入されると共に、封入パックＡの下部の開放可能部Ｄに対し、熱風供給部４から熱風が吹き出され、もって開放可能部Ｄが、この熱風と注入された熱湯Ｃの熱と重量等により剥離開放される。
【００２６】
そこで、封入パックＡ内において、前述により軟化熱処理された飲料素材Ｅに熱湯Ｃが混入され、ココアの場合を除き濾過部Ｆを通過してドリップされた後、下部の開放された開放可能部Ｄから、外部へと流下して行く。
このようにして所望の飲料が得られ、例えばコップＢ内へと流下された後、乗客等のユーザーに提供される。
さてそこで、このドリンクサービスカートによると、次の第１，第２，第３のようになる。
【００２７】
第１に、乗客等のユーザーへの提供サービスに際しては、上述したように、ドリンクサービスカートをそのユーザーの元へと移動させて、好みの封入パックＡを選択してセットすると共にコップＢをセットした後、熱湯Ｃが封入パックＡに注入され、熱風が吹き出される。
これらにより、所望の飲料が得られ、即その場で直接、乗客等のユーザーに提供される。このようにして、例えばドリップしたてで抽出直後のコーヒーや紅茶等の飲料、作りたてで香りと味に優れた新鮮な飲料を、酸化により品質が低下することなく、乗客等のユーザーに直接提供可能となる。
【００２８】
第２に、そして異なる種類の飲料素材Ｅが封入された封入パックＡを、予め各種，多数準備しておくことにより、乗客等のユーザーは、好みに合った飲料を自由に選択できるようになる。
すなわち、乗客等のユーザーは、コーヒー，ココア，紅茶，鳥龍茶，日本茶，ハーブ茶，更にコーヒーについてはモカ，キリマンジェロ，ブルーマウンテン，アメリカン，その他，これらのブレンド，更に紅茶についてはダージリン，アッサム，セイロン，その他，これらのブレンド等々について、その中から好みに合った飲料を、選択して楽しむことができるようになる。
又、砂糖，レモン，ミルク，その他の添加材を混入したもの、しないもの等、更には、ホットタイプのものアイスタイプのものを、自由に選択して楽しむことも可能である。
【００２９】
第３に、しかもこのドリンクサービスカートによると、カートを移動させるだけで、そして封入パックＡやコップＢをセットすると共に、熱湯Ｃの注入と熱風の吹き出しを行うだけで、簡単，容易，迅速に、作りたての飲料を、数分後に乗客等のユーザーに提供可能である。
【００３０】
なお図示例のドリンクサービスカートは、熱風供給部４，ノズル９を含む注出部５，受け台１３等が、１個ずつ配設され、もって１個の封入パックＡやコップＢがセットされる、いわゆる単式タイプのものよりなっていたが、本発明に係るドリンクサービスカートは、これに限定されるものではなく、いわゆる多連式タイプのものも可能である。
例えば、熱風供給部４，ノズル９を含む注出部５，受け台１３等が、横に並んで２個ずつ配設され、もって２個の封入パックＡやコップＢが同時にセットされる、いわゆる２連式タイプのドリンクサービスカートも、可能である。この場合には、同時に２種類の飲料を、提供することが可能となる。
【００３１】
【発明の効果】
本発明に係るドリンクサービスカートは、以上説明したように、給電部，熱湯のタンク部，熱風供給部，熱湯の注出部，飲料素材の封入パック等を、カート本体に備えつけてなり、更に適宜、コップ，氷供給部等を備えつけてなることにより、次の効果を発揮する。
【００３２】
第１に、飲料を香り高く味わい深く、提供できるようになる。すなわち、このドリンクサービスカートによると、例えばドリップしたての抽出間もない作りたての、新鮮な飲料を、乗客等のユーザーに対し、香りと味を逃がすことなく直接、提供サービスすることができる。
すなわち、前述したこの種従来例のように、予め作り置きしておいた飲料を、ポットやワゴンを利用して提供していた場合に比し、飲みたい時に作りたての飲料をその場で提供でき、品質面に優れた飲料の提供サービスが可能となる。
【００３３】
第２に、これと共に各種の飲料を、好みに応じて提供できるようになる。すなわち、このドリンクサービスカートによると、異なる種類の飲料素材が封入された封入パックを、予め各種，多数準備しておくことにより、乗客等のユーザーは、飲料の種類を自由に選択でき、好みに合わせて楽しむことができるようになる。
【００３４】
第３に、しかも簡単，容易，迅速に提供可能である。すなわち、このドリンクサービスカートによると、注出部下に好みの封入パックをセットすると共にコップをセットした後、注出部のノズルにて熱湯が封入パックに注入され、熱風供給部にて熱風が封入パックに吹き出されることにより、即その場で飲料を提供することができる。このように簡単，容易，迅速に、作りたての飲料を乗客等のユーザーに提供可能である。
このように、この種従来例に存した課題がすべて解決される等、本発明の発揮する効果は、顕著にして大なるものがある。
【図面の簡単な説明】
【図１】本発明に係るドリンクサービスカートについて、発明の実施の形態の説明に供する側面説明図である。
【図２】同発明の実施の形態の説明に供する斜視説明図である。
【図３】同発明の実施の形態の説明に供し、封入パック等の正面説明図である。
【符号の説明】
１  カート本体
２  給電部
３  タンク部
４  熱風供給部
５  注出部
６  キャスター
７  吸入部
８  供給部
９  ノズル
１０  ポンプ
１１  供給管
１２  注入受部
１３  受け台
１４  コップストッカー
１５  パックストッカー
１６  ダストボックス
１７  トレー
１８  排出管
１９  排出弁
２０  添加材ストッカー
Ａ  封入パック
Ｂ  コップ
Ｃ  熱湯
Ｄ  開放可能部
Ｅ  飲料素材
Ｆ  濾過部
Ｈ  セット保持部
【図１】
0003611719.tif 000002
【図２】
0003611719.tif 000003
【図３】
0003611719.tif 000004